(57)【要約】  有機発光素子のパッケージ構造及びその製造方法、有機発光装置を提供する。有機発光素子のパッケージ構造は、基板上に設置され且つ有機発光素子を覆う第一無機層と、第一無機層の周縁に設置された遮断部と、第一無機層上に順次に設置された有機層及び第二無機層と、を備え、遮断部は第一無機層上で遮断部の内側に位置する包囲部を画定し、有機層は包囲部内に設置される。本発明に係わる有機発光素子のパッケージ構造において、遮断部は第一有機層の周縁に設置されて、第一無機層に覆われないので、遮断部の疎水性が変化されることを防ぎ、遮断部が有機層のオーバーフローを効果的に防ぐことを保証し、遮断部と有機発光素子の有効発光領域との間の距離を効果的に短縮することができる。【選択図】図１
2020536366.tif 000002
【特許請求の範囲】
【請求項１】
有機発光素子のパッケージ構造であって、基板１上に設置され且つ有機発光素子２を覆う第一無機層１０と、前記第一無機層１０の周縁に設置された遮断部４０と、前記第一無機層１０上に順次に設置された有機層３０及び第二無機層２０と、を備え、
前記遮断部４０は、前記第一無機層１０上で前記遮断部４０の内側に位置する包囲部５０を画定し、前記有機層３０は前記包囲部５０内に設置されることを特徴とする有機発光素子のパッケージ構造。
【請求項２】
前記第二無機層２０は、前記有機層３０上に設置され且つ前記遮断部４０を覆うことを特徴とする請求項１に記載の有機発光素子のパッケージ構造。
【請求項３】
前記有機層３０は、前記有機発光素子２の上方に対応する平坦部３１と、前記平坦部３１の外周に接続され且つ前記有機発光素子２の外周側に対応する傾斜部３２と、を備え、前記傾斜部３２における前記平坦部３１から離れた側面は前記遮断部４０の側面に当接されることを特徴とする請求項１に記載の有機発光素子のパッケージ構造。
【請求項４】
前記第二無機層２０は、前記平坦部３１及び前記傾斜部３２を覆い、且つ前記遮断部４０の外周まで延在されて前記遮断部４０を覆うことを特徴とする請求項３に記載の有機発光素子のパッケージ構造。
【請求項５】
前記遮断部４０は、疎水性を有する絶縁材料からなることを特徴とする請求項１に記載の有機発光素子のパッケージ構造。
【請求項６】
前記遮断部４０は、酸化シリコン又は窒化シリコンで構成されることを特徴とする請求項５に記載の有機発光素子のパッケージ構造。
【請求項７】
有機発光素子のパッケージ構造の製造方法であって、
Ｓ１、基板１上に第一無機層１０を設置し、前記第一無機層１０は前記基板１上の有機発光素子２を覆うステップと、
Ｓ２、前記第一無機層１０の周縁に遮断部４０を設置し、前記遮断部４０は前記第一無機層１０上で前記遮断部４０の内側に位置する包囲部５０を画定するステップと、
Ｓ３、前記第一無機層１０上に有機層３０を設置し、前記有機層３０は前記包囲部５０内に位置するステップと、
Ｓ４、前記有機層３０上に第二無機層２０を設置するステップと、
を備えることを特徴とする有機発光素子のパッケージ構造の製造方法。
【請求項８】
ステップＳ１において、前記第一無機層１０は、化学気相蒸着又は原子層蒸着によって前記基板１上に形成され、
ステップＳ３において、前記有機層３０は、インクジェット印刷法によって前記第一無機層１０上に形成され、
ステップＳ４において、前記第二無機層２０は、化学気相蒸着又は原子層蒸着によって前記有機層３０上に形成される、
ことを特徴とする請求項７に記載の有機発光素子のパッケージ構造の製造方法。
【請求項９】
ステップＳ２において、前記遮断部４０は、マスクを採用し且つ化学気相蒸着又は原子層蒸着によって前記第一無機層１０上に形成されるか、又は化学気相蒸着とドライエッチングによって前記第一無機層１０上に形成される、
ことを特徴とする請求項７に記載の有機発光素子のパッケージ構造の製造方法。
【請求項１０】
有機発光素子のパッケージ構造の製造方法であって、
Ｓ１、ＴＦＴプロセスにおいて、基板１上に遮断部４０を設置し、前記遮断部４０は前記基板１上の有機発光素子２の周辺に位置するステップと、
Ｓ２、マスクを用いて前記遮断部４０を遮り、前記基板１上に第一無機層１０を設置し、前記第一無機層１０は前記有機発光素子２を覆い、前記遮断部４０は前記第一無機層１０の周縁に位置するステップと、
Ｓ３、前記第一無機層１０上に有機層３０を設置し、前記有機層３０は前記遮断部４０と前記第一無機層１０との間に形成された包囲部５０内に位置するステップと、
Ｓ４、前記有機層３０上に第二無機層２０を設置するステップと、
を備えることを特徴とする有機発光素子のパッケージ構造の製造方法。
【請求項１１】
ステップＳ２において、前記第一無機層１０は、化学気相蒸着又は原子層蒸着によって前記基板１上に形成され、
ステップＳ３において、前記有機層３０は、インクジェット印刷法によって前記第一無機層１０上に形成され、
ステップＳ４において、前記第二無機層２０は、化学気相蒸着又は原子層蒸着によって前記有機層３０上に形成される、
ことを特徴とする請求項１０に記載の有機発光素子のパッケージ構造の製造方法。
【請求項１２】
有機発光装置であって、
基板１、有機発光素子２及びパッケージ構造を備え、
前記パッケージ構造は、請求項１〜６のいずれか一項に記載のパッケージ構造であって、請求項７〜９のいずれか一項に記載のパッケージ構造の製造方法によって製造されるか、又は請求項１０〜１１のいずれか一項に記載のパッケージ構造の製造方法によって製造され、
前記有機発光素子２は前記基板１上に設置され、前記パッケージ構造は前記基板１上に設置され且つ前記有機発光素子２を覆う、
ことを特徴とする有機発光装置。
【発明の詳細な説明】
【技術分野】
【０００１】
本発明は、発光表示技術分野に関するものであり、特に有機発光素子のパッケージ構造及びその製造方法、有機発光装置に関するものである。
【背景技術】
【０００２】
有機発光ダイオード（Ｏｒｇａｎｉｃ  Ｌｉｇｈｔ-Ｅｍｉｔｔｉｎｇ  Ｄｉｏｄｅ、ＯＬＥＤ）素子のカソード及び有機発光材料は、空気中の水や酸素と反応して失効し易いので、パッケージング材料でＯＬＥＤ素子をカプセル化する必要があり、フレキシブルＯＬＥＤもフレキシブルパッケージングすることを必要として、即ち薄膜カプセル化（Ｔｈｉｎ−Ｆｉｌｍ  Ｅｎｃａｐｓｕｌａｔｉｏｎ，ＴＦＥ）が必要である。
【０００３】
現在、ＴＦＥは、主に無機層、有機層、無機層が交互に重ねられた構造を使用している。有機層を形成する方法はＩＪＰであり、即ちインクジェットプリンタ（Ｉｎｋ  Ｊｅｔ  Ｐｒｉｎｔｅｒ）でインクジェットして有機層を形成する。インク（有機材料）は良い流動性を有するので、インクのオーバーフローを防ぐために、パネルの両端にバッフルプレートに似たバンク（Ｂａｎｋ）を形成することを必要とする。バンクは一般的にＴＦＴプロセスで形成され、且つバンクは前のプロセスで形成されるが、ＴＦＴプロセスの最初のプロセスはＣＶＤ（無機層）であるので、バンクはＣＶＤで覆われ、バンクの元の疎水性が変わり、インクのオーバーフローを効果的に防ぐことはできなくなるとともに、インクオーバーフローを効果的に防ぐために、バンク距離がさらに長くなければならない。
【発明の概要】
【発明が解決しようとする課題】
【０００４】
本発明が解決しようとする技術問題は、有機層のオーバーフローを効果的に防止し、且つ遮断部と有効発光領域との間の距離を効果的に短縮する有機発光素子のパッケージ構造、パッケージ構造の製造方法、及びパッケージ構造を有する有機発光装置を提供することである。
【課題を解決するための手段】
【０００５】
上記の技術問題を解決するために、本発明が採用する技術方案は、基板上に設置され且つ有機発光素子を覆う第一無機層と、第一無機層の周縁に設置された遮断部と、第一無機層上に順次に設置された有機層及び第二無機層と、を備える有機発光素子のパッケージ構造を提供し、
遮断部は、第一無機層上で遮断部の内側に位置する包囲部を画定し、有機層は包囲部内に設置される。
【０００６】
本発明は、さらに有機発光素子のパッケージ構造の製造方法を提供し、以下のステップを備える。
Ｓ１、基板上に第一無機層を設置し、第一無機層は基板上の有機発光素子を覆う。
Ｓ２、第一無機層の周縁に遮断部を設置し、遮断部は第一無機層上で遮断部の内側に位置する包囲部を画定する。
Ｓ３、第一無機層上に有機層を設置し、有機層は包囲部内に位置する。
Ｓ４、有機層上に第二無機層を設置する。
【０００７】
本発明は、さらに別の有機発光素子のパッケージ構造の製造方法を提供し、以下のステップを備える。
Ｓ１、ＴＦＴプロセスにおいて、基板上に遮断部を設置し、遮断部は基板上の有機発光素子の周辺に位置する。
Ｓ２、マスクを用いて遮断部を遮り、基板上に第一無機層を設置し、第一無機層は有機発光素子を覆い、遮断部は第一無機層の周縁に位置する。
Ｓ３、第一無機層上に有機層を設置し、有機層は遮断部と第一無機層との間に形成された包囲部内に位置する。
Ｓ４、有機層上に第二無機層を設置する。
【０００８】
本発明は、さらに、基板と、有機発光素子と、上述したパッケージ構造と、を備える有機発光素子を提供し、
有機発光素子は基板上に設置され、パッケージ構造は基板上に設置され且つ有機発光素子を覆う。
【発明の効果】
【０００９】
本発明の有益な効果は、パッケージ構造において、遮断部（バンク）は第一有機層の周縁に設置されて、第一無機層に覆われないので、遮断部の疎水性が変化されることを防ぎ、遮断部が有機層のオーバーフローを効果的に防ぐことを保証し、遮断部と有機発光素子の有効発光領域との間の距離を効果的に短縮することができる。
【図面の簡単な説明】
【００１０】
以下、添付された図面及び実施形態を結合して、本発明をさらに説明する。
【図１】図１は、本発明の実施形態に係わる有機発光素子のパッケージ構造の構造を示す概略図である。
【発明を実施するための形態】
【００１１】
本発明の技術特徴、目的及び効果をより明確に理解するために、図面を参照しながら本発明の具体的な実施形態を詳細に説明する。
【００１２】
図１に示されたように、本発明の一実施形態に係わる有機発光素子のパッケージ構造は、基板１上に設置され且つ有機発光素子２を覆う第一無機層１０と、第一無機層１０の周縁に設置された遮断部４０と、第一無機層１０上に順次に設置された有機層３０及び第二無機層２０と、を備える。遮断部４０は、第一無機層１０上で遮断部４０の内側に位置する包囲部５０を画定し、包囲部５０も有機発光素子２の上方に位置し、有機層３０は包囲部５０内に設置される。
【００１３】
有機発光素子２はＯＬＥＤ素子であることができ、基板１はガラス基板であることができる。第一無機層１０、有機層３０及び第二無機層２０は、有機発光素子２の上に順次に積層され、有機発光素子２の有機発光層が水や酸素の侵食を受けないように保護する。本発明の実施形態に係わるパッケージ構造は、ＴＦＴ素子などのような他の発光素子にも適用できると理解されるべきである。
【００１４】
第一無機層１０は、有機発光素子２を覆う第一層構造として、化学気相蒸着（ＤＶＤ）又は原子層蒸着（ＡＬＤ）によって基板１上に形成されることができる。図１に示されたように、第一無機層１０の中間部分は、有機発光素子２の上表面及び側面を覆い、第一無機層１０のエッジ部分は有機発光素子２の側面に沿って基板１へ延びている。
【００１５】
遮断部４０は、基板１上における第一無機層１０の周縁に位置し、第一無機層１０の周縁上に位置してもよく、周縁の外側に位置してもよい。遮断部４０の高さは第一無機層１０の高さより高い。より高い遮断部４０は、インクジェットプリンタでインクジェット印刷を行って有機層３０を形成する際、良い流動性を有する有機材料のオーバーフローを効果的に防止することができる。従って、有機層３０は、完全に包囲部５０内に設置されることができる。
【００１６】
遮断部４０は、マスクを採用し且つ化学気相蒸着又は原子層蒸着によって第一無機層１０上に形成されるか、又は化学気相蒸着とドライエッチングによって第一無機層１０上に形成される。
【００１７】
遮断部４０は、疎水性を有する絶縁材料からなるので、有機層３０と互いにブレンドしなく、有機層３０は遮断部４０の内側で所定の形状に形成される。選択的に、遮断部４０は、酸化シリコン（ＳｉＯｘ）又は窒化シリコン（ＳｉＮｘ）などで構成されることができる。
【００１８】
遮断部４０は、第一無機層１０の周縁に設置されて、第一無機層１０に覆われないので、遮断部４０の疎水性が弱くならず、有機層３０の製造工程において、有機層３０の形成材料のオーバーフローを効果的に防止する。また、遮断部４０は、有機発光素子２の有効発光領域から遠く離れて設ける必要はなく、遮断部４０と有効発光領域との間の距離を効果的に短縮し、有機発光装置の全体の体積を減らすことに有利である。
【００１９】
有機層３０は、インクジェット印刷法（ＩＪＰ）によって第一無機層１０上に形成されるので、インク（Ｉｎｋ）などの有機材料で形成された有機膜層である。遮断部４０は第一無機層１０の周縁に設置されているので、有機層３０を形成する際、インクは遮断部４０に遮断されて遮断部４０の外側に流れない。
【００２０】
本実施形態において、有機層３０は、有機発光素子２の上方に対応する平坦部３１と、平坦部３１の外周に接続され且つ有機発光素子２の外周側に対応する傾斜部３２と、を備える。傾斜部３２における平坦部３１から離れた側面は、遮断部４０の側面に当接される。傾斜部３２の側面の高さは、遮断部４０の側面の高さよりも低いか、又は遮断部４０の側面の高さと同じである。
【００２１】
有機層３０の具体的な材料及び製造方法は、全て従来技術によって実現されることができる。
【００２２】
第二無機層２０は、有機層３０上に設置され且つ遮断部４０を覆う。有機層３０の構造に対応して、第二無機層２０は、有機層３０の平坦部３１及び傾斜部３２を覆い、且つ遮断部４０の外周まで延在されて遮断部４０を覆う。第二無機層２０のエッジ部分は、さらに延在されて第一無機層１０に接触することができる。
【００２３】
第一無機層１０と同様に、第二無機層２０は、化学気相蒸着（ＤＶＤ）又は原子層蒸着（ＡＬＤ）によって有機層３０上に形成されることができる。第二無機層２０及び第一無機層１０は、同じ材料から作製することができ、具体的な材料及び製造方法は、従来の技術によって実現することができる。
【００２４】
図１を参照すると、本発明の実施形態に係わる有機発光素子のパッケージ構造の製造方法は、以下のステップを備えることができる。
【００２５】
Ｓ１、基板１上に第一無機層１０を設置し、第一無機層１０は基板１上の有機発光素子２を覆う。
【００２６】
第一無機層１０は、化学気相蒸着（ＤＶＤ）又は原子層蒸着（ＡＬＤ）によって基板１上に形成されることができる。
【００２７】
Ｓ２、第一無機層１０の周縁に遮断部４０を設置し、遮断部４０は第一無機層１０上で遮断部４０の内側に位置する包囲部５０を画定する。
【００２８】
遮断部４０は、マスクを採用し且つ化学気相蒸着又は原子層蒸着によって第一無機層１０上に形成されるか、又は化学気相蒸着とドライエッチングによって第一無機層１０上に形成される。
【００２９】
Ｓ３、第一無機層１０上に有機層３０を設置し、有機層３０は包囲部５０内に位置する。
【００３０】
有機層３０は、インクジェット印刷法によって第一無機層１０上に形成され、包囲部５０の制限により、有機層３０は形成過程で遮断部４０の外側に溢れない。
【００３１】
Ｓ４、有機層３０上に第二無機層２０を設置する。
【００３２】
第一無機層１０と同様に、第二無機層２０も化学気相蒸着又は原子層蒸着によって有機層３０上に形成されることができる。第二無機層２０は、さらに遮断部４０の外側に延在されて遮断部４０を覆う。
【００３３】
図１を参照すると、本発明の別の実施形態に係わる有機発光素子のパッケージ構造の製造方法は、以下のステップを備えることができる。
【００３４】
Ｓ１、ＴＦＴプロセスにおいて、基板１上に遮断部４０を設置し、遮断部４０は基板１上の有機発光素子２の周辺に位置する。
【００３５】
Ｓ２、マスクを用いて遮断部４０を遮り、基板１上に第一無機層１０を設置する。
【００３６】
第一無機層１０は有機発光素子２を覆い、遮断部４０は第一無機層１０の周縁に位置するので、遮断部４０は第一無機層１０上で遮断部４０の内側に位置する包囲部５０を画定する。
【００３７】
第一無機層１０は、化学気相蒸着又は原子層蒸着によって基板１上に形成されることができる。
【００３８】
Ｓ３、第一無機層１０上に有機層３０を設置する。
【００３９】
有機層３０は、遮断部４０と第一無機層１０との間に形成された包囲部５０内に位置する。
【００４０】
有機層３０は、インクジェット印刷法によって第一無機層１０上に形成され、包囲部５０の制限により、有機層３０は形成過程で遮断部４０の外側に溢れない。
【００４１】
Ｓ４、有機層３０上に第二無機層２０を設置する。
【００４２】
第一無機層１０と同様に、第二無機層２０も化学気相蒸着又は原子層蒸着によって有機層３０上に形成されることができる。第二無機層２０は、さらに遮断部４０の外側に延在されて遮断部４０を覆う。
【００４３】
図１を参照すると、本発明の有機発光装置は、基板１と、有機発光素子２と、上述したパッケージ構造と、を備える。有機発光素子２は基板１上に設置され、パッケージ構造は基板１上に設置され且つ有機発光素子２を覆う。
【００４４】
基板１はガラス基板であることができ、有機発光素子２はＯＬＥＤ素子であることができる。パッケージ構造において、第一無機層１０、有機層３０及び第二無機層２０は、有機発光素子２の上に順次に積層され、有機発光素子２の有機発光層が水や酸素の侵食を受けないように保護する。
【００４５】
パッケージ構造において、遮断部４０は、第一無機層１０の周縁に設置されて、第一無機層１０に覆われないので、遮断部４０の疎水性が弱くならず、有機層３０の製造工程において、有機層３０の形成材料のオーバーフローを効果的に防止する。また、遮断部４０は、有機発光素子２の有効発光領域から遠く離れて設ける必要はなく、遮断部４０と有効発光領域との間の距離を効果的に短縮し、有機発光装置の全体の体積を減らすことに有利である。
【００４６】
上述したのは本発明の好ましい実施形態であり、本発明の範囲を限定するものではない。本発明の明細書及び図面を利用して行われた同等の構造又は同等のプロセス変換、又は他の関連技術分野で直接又は間接的に使用されても、同様に本発明の範囲に属する。
【図１】
2020536366.tif 000003
【手続補正書】
【提出日】令和2年4月6日(2020.4.6)
【手続補正１】
【補正対象書類名】明細書
【補正対象項目名】０００８
【補正方法】変更
【補正の内容】
【０００８】
本発明は、さらに、基板と、有機発光素子と、上述したパッケージ構造と、を備える有機発光装置を提供し、
有機発光素子は基板上に設置され、パッケージ構造は基板上に設置され且つ有機発光素子を覆う。
【手続補正２】
【補正対象書類名】明細書
【補正対象項目名】０００９
【補正方法】変更
【補正の内容】
【０００９】
本発明の有益な効果は、パッケージ構造において、遮断部（バンク）は第一無機層の周縁に設置されて、第一無機層に覆われないので、遮断部の疎水性が変化されることを防ぎ、遮断部が有機層のオーバーフローを効果的に防ぐことを保証し、遮断部と有機発光素子の有効発光領域との間の距離を効果的に短縮することができる。
【国際調査報告】
2020536366.tif 000004
2020536366.tif 000005
2020536366.tif 000006
2020536366.tif 000007